(57)【特許請求の範囲】
【請求項１】
遊技機島の長手方向である紙幣の搬送方向に架設されたフレームの側部に複数の搬送ユニットを前記搬送方向に連結して取り付けて前記フレームと前記搬送ユニットとの間に紙幣の搬送路を形成し、該搬送路に沿って紙幣を搬送する紙幣搬送装置において、
前記搬送ユニットは、一端部に第１係合部を、他端部に前記第１係合部と係合する第２係合部を備えると共に、連結時に前記第１係合部が搬送路の内側に露出し、かつ前記第１係合部の外側に隣の搬送ユニットの第２係合部が重なるように形成されると共に、前記第１係合部は前記搬送ユニットの前記搬送方向側の端部に設けられており、
さらに前記搬送ユニットは、前記搬送方向にスライド移動可能であって隣接する搬送ユニット同士の連結時の間隔を調整可能にされており、
前記第１係合部は、前記搬送方向に沿ってスリットが形成された突出部であり、
前記第２係合部は、前記搬送路の内側を臨む面に前記第１係合部を受け入れる陥没部が形成された受入部であると共に、前記陥没部に係合された前記突出部の前記スリットに入るように、前記陥没部に前記搬送方向に沿ってリブが形成されている
ことを特徴とする紙幣搬送装置。
【請求項２】
前記第２係合部は光を透過し、前記第１係合部は、連結時に係合される第２係合部と異なる色にされている
ことを特徴とする請求項１に記載の紙幣搬送装置。
【発明の詳細な説明】
【技術分野】
【０００１】
本発明は、紙幣を搬送する紙幣搬送装置に係わり、特に、複数の遊技機を並設して収容する遊技機島の長手方向に紙幣を搬送する紙幣搬送装置に関する。
【背景技術】
【０００２】
パチンコ機などの遊技機が並設収容された遊技機島では、一般に、各遊技機の近くに遊技媒体貸機が設置されており、遊技媒体貸機に投入された紙幣は、遊技機島の長手方向に沿って設置された搬送路を有する紙幣搬送装置によって島端の紙幣収納装置へ搬送されて収納されるようになっている。
【０００３】
紙幣搬送装置は、たとえば、遊技機島の長手方向に搬送ベルトを架設すると共に、該搬送ベルトに沿ってその上下に搬送ガイド部材を掛け渡し、搬送ベルトに当接される搬送ローラを備えた搬送ユニットを、上下の搬送ガイド部材の側部を覆うようにして複数取り付けて搬送路を形成し、搬送ベルトを駆動することで搬送ベルトと搬送ローラの間に紙幣を挟んで搬送するものがある。この搬送ユニットの搬送方向両端部は櫛歯状に形成されており、隣接する搬送ユニット同士は櫛歯の間に隣の搬送ユニットの櫛歯を嵌め込むように係合させて連結されている（たとえば、特許文献１参照。）。
【０００４】
【特許文献１】特開平３−２７９１４１号公報
【発明の開示】
【発明が解決しようとする課題】
【０００５】
上記の装置では、櫛歯の間に隣の搬送ユニットの櫛歯を嵌め込むように係合させて搬送ユニット同士を連結するので、遊技機や遊技媒体貸機の配置に応じて、搬送ユニット間が少し離れた場合でも、櫛歯と櫛歯のオーバーラップ量は減少するが搬送路を構成することができる。
【０００６】
しかし、連結時の間隔を広げてオーバーラップ量が減ると上下に並ぶ櫛歯と櫛歯の間に空隙ができるため、その空隙に折れ曲がったり、切れ目がある紙幣の角が引っ掛かって紙幣詰まりを起こすことがあった。
【０００７】
また、櫛歯は隣り合う搬送ユニットの位置を上下方向には規制するだけなので、搬送ユニットの位置が幅方向（搬送路の厚み方向）にずれた場合に、櫛歯が紙幣の流れに干渉して、紙幣詰まりの発生要因になっていた。
【０００８】
本発明は、上記の問題を解決しようとするものであり、搬送ユニット同士の連結部における紙幣詰まりを防止することのできる紙幣搬送装置を提供することを目的とするものである。
【課題を解決するための手段】
【０００９】
かかる目的を達成するための本発明の要旨とするところは、次の各項の発明に存する。
【００１０】
［１］遊技機島の長手方向である紙幣の搬送方向に架設されたフレーム（２０ａ、２０ｂ）の側部に複数の搬送ユニット（３０）を前記搬送方向に連結して取り付けて前記フレーム（２０ａ、２０ｂ）と前記搬送ユニット（３０）との間に紙幣の搬送路を形成し、該搬送路に沿って紙幣を搬送する紙幣搬送装置（１０）において、
前記搬送ユニット（３０）は、一端部に第１係合部（４１）を、他端部に前記第１係合部（４１）と係合する第２係合部（４２）を備えると共に、連結時に前記第１係合部（４１）が搬送路の内側に露出し、かつ前記第１係合部（４１）の外側に隣の搬送ユニット（３０）の第２係合部（４２）が重なるように形成されると共に、前記第１係合部（４１）は前記搬送ユニット（３０）の前記搬送方向側の端部に設けられており、
さらに前記搬送ユニット（３０）は、前記搬送方向にスライド移動可能であって隣接する搬送ユニット（３０）同士の連結時の間隔を調整可能にされており、
前記第１係合部（４１）は、前記搬送方向に沿ってスリット（４１ａ）が形成された突出部であり、
前記第２係合部（４２）は、前記搬送路の内側を臨む面に前記第１係合部（４１）を受け入れる陥没部（４２ａ）が形成された受入部であると共に、前記陥没部（４２ａ）に係合された前記突出部（４１）の前記スリット（４１ａ）に入るように、前記陥没部（４２ａ）に前記搬送方向に沿ってリブ（４２ｂ）が形成されている
ことを特徴とする紙幣搬送装置。
【００１１】
上記発明では、搬送ユニット（３０）の一端部に形成した第１係合部（４１）の外側を、隣りの搬送ユニット（３０）の他端部に形成された第２係合部（４２）で覆うようにして第１係合部（４１）と第２係合部（４２）を係合させると共に、第１係合部（４１）と第２係合部（４２）のうちで搬送路の内側にある方を搬送ユニット（３０）の搬送方向側の端部に形成している。これにより、搬送ユニット（３０）における搬送路幅方向の位置ずれや、搬送ユニット（３０）の連結部による紙幣への干渉が抑制されて、搬送ユニット（３０）の連結部における紙幣詰まりが防止される。
【００１３】
また上記発明では、搬送ユニット（３０）の第１係合部（４１）の外側に他の搬送ユニット（３０）の第２係合部（４２）を重ねるようにして搬送ユニット（３０）同士を連結するようにしたので、搬送ユニット（３０）を取り付けし易くすることができる。
【００１５】
また上記発明では、搬送ユニット（３０）同士の取り付け間隔を調整する際に、搬送ユニット（３０）を搬送方向に沿ってスライド移動させると、連結部で突出部（４１）と受入部（４２）とのオーバーラップ量が減って陥没部（４２ａ）が搬送路の内側に露出する。しかし、この状態で紙幣を搬送しても、搬送方向に沿って陥没部（４２ａ）にリブ（４２ｂ）が形成されているので、紙幣は該リブ（４２ｂ）上を搬送される。それにより、紙幣が陥没部（４２ａ）に嵌まったり、引っ掛かるなどして詰まることが防止される。
【００１８】
［２］前記第２係合部（４２）は光を透過し、前記第１係合部（４１）は、連結時に係合される第２係合部（４２）と異なる色にされている
ことを特徴とする［１］に記載の紙幣搬送装置。
【００１９】
上記発明では、搬送ユニット（３０）の第１係合部（４１）がどの程度の長さで第２係合部（４２）に係合されているかを視認し易くすることができる。
【発明の効果】
【００２０】
本発明に係る紙幣搬送装置によれば、搬送ユニット同士の連結部における紙幣詰まりを防止して、円滑な紙幣搬送が実現される。
【発明を実施するための最良の形態】
【００２１】
以下、図面に基づき本発明の各種実施の形態を説明する。
【００２２】
図１は、本発明の第１の実施の形態に係る紙幣搬送装置１０の設置された遊技機島２の内部構造を示す正面図であり、図２は、遊技機島２に設置された紙幣搬送装置１０およびその関連機器の配置状態を示す上面図であり、図３は、遊技機島２の内部構造を図１のＡ−Ａ´断面にて示す側断面図である。
【００２３】
遊技機島２は、遊技ホールのフロア上に構築したフレームにパチンコ機などの遊技機３と遊技媒体貸機４とを一組に並設したものを多数背中合わせにして表裏面に並設収容している。
【００２４】
遊技媒体貸機４は、遊技機３で使用されるパチンコ球などの遊技媒体を、正面上部の紙幣投入口４ａから投入される紙幣や硬貨投入口４ｂから投入される硬貨の金額に応じて遊技者に貸し出す装置である。図２、図３に示すように、背中合わせにして設置された遊技媒体貸機４の背面間の上部には、各遊技媒体貸機４の背面から排出された紙幣を遊技機島２の側面上部に配設された紙幣収納装置５まで搬送する紙幣搬送装置１０が遊技機島２の長手方向に沿って延設されている。紙幣はその短辺が略垂直となる姿勢で紙幣搬送装置１０内を搬送されて紙幣収納装置５に送り込まれる。
【００２５】
遊技媒体貸機４の背面間の下部側には、各遊技媒体貸機４の背面から排出された硬貨を遊技機島２の側面下部に配設された硬貨収納装置６まで搬送する硬貨搬送装置７が遊技機島２の長手方向に沿って延設されている。
【００２６】
図４は、紙幣搬送装置１０の概略構成とその設置態様を示す模式図である。紙幣搬送装置１０は、遊技機島２の両端に分けて配置された駆動プーリ１１と従動プーリ１２との間に掛け渡された断面円形で無端の搬送ベルト１３と、駆動プーリ１１を回転駆動して搬送ベルト１３を図中の矢印Ｍ方向へ周回させる駆動部１４とを備えている。駆動部１４はモータや伝達ベルトなどで構成される。
【００２７】
搬送ベルト１３は、上下２段となるように遊技機島２の長手方向に掛け渡されており、その上側の搬送ベルト１３ａに沿って複数の搬送プーリ３２が搬送ベルト１３ａに近接させて配列されている。各搬送プーリ３２はその外周を一周する溝を有しており、搬送ベルト１３ａと各搬送プーリ３２の溝との間に、紙幣を圧接しつつ搬送する搬送路が構成されている。駆動部１４により搬送ベルト１３を駆動することで、搬送路に沿って紙幣を矢印Ｍ方向（搬送方向）へ搬送するようになっている。搬送路は、通路部ユニットＧと遊技媒体貸機４から紙幣を受け入れて合流させるための送出ユニット６０（図４では不図示、図１３参照）を複数連結して形成される。
【００２８】
図５は、通路部ユニットＧの内部構造を図４のＢ−Ｂ´断面にて示している。通路部ユニットＧは、搬送ベルト１３ａの上側に配置される上側フレーム２０ａと、搬送ベルト１３ａの下側に配置される下側フレーム２０ｂと、これらフレーム２０ａ、２０ｂの両側部に取り付けられた搬送ユニット３０とを備えて構成される。
【００２９】
上側フレーム２０ａは、第１フレーム２１と、該第１フレーム２１の下側に接合された第２フレーム２２とを組み合わせて構成されている。第１フレーム２１は、たとえばアルミニウム合金などの軽量かつ高剛性の金属材料で形成される。第１フレーム２１は遊技機島２の長手方向に架設されている。
【００３０】
第２フレーム２２は、たとえばアルミニウム合金などで形成される。第２フレーム２２は第１フレーム２１の下部中央から少し下方に延びた後、二股に分かれて平行に下方へ延び、さらにこの二股部の間に挟持されて仕切板２４が下方へ延設された構造をなしている。この仕切板２４は、たとえばアルミニウム合金や樹脂材料などで形成される。仕切板２４の下端は搬送ベルト１３ａから僅かに離れた位置に達している。なお、上側フレーム２０ａと下側フレーム２０ｂとは同一構成で共通化されており、搬送ベルト１３ａを挟んで上下逆向きに配置されている。
【００３１】
搬送ユニット３０についてはさらに他の図面を用いて説明する。図６は、搬送ユニット３０の正面図、図７は搬送ユニット３０の突出部側の側面図、図８は搬送ユニット３０の受入部側の側面図、図９は搬送ユニット３０の表面を受入部側から見た斜視図、図１０は搬送ユニット３０の裏面を受入部側から見た斜視図である。なお、搬送ユニット３０は突出部側と受入部側で分離可能なので、図９、図１０においては突出部側を外して省略している。
【００３２】
搬送ユニット３０は、プレート３１と、搬送プーリ３２と、搬送プーリ３２を保持するブラケット３３とを備えている。プレート３１は、たとえば透明樹脂材料などで形成され、プレート３１は、図６に示すように、矩形平板状の一端部に紙幣の搬送方向Ｍに向けて突出する第１係合部としての突出部４１を備え、他端部に第２係合部としての受入部４２（図９、図１０参照）を備えている。図５に示すように、プレート３１は、上側フレーム２０ａの第１フレーム２１から下側フレーム２０ｂの第１フレーム２１に渡る高さ（Ｙ方向の長さ）を備えてこれらのフレーム２０ａ、２０ｂの側部を覆い、紙幣搬送路の外壁を成している。プレート３１は、クリップ５１およびフック５２（図６参照）によって四隅がフレーム２０ａ、２０ｂに取り付けられる。なお、搬送ユニット３０は、フレーム２０ａ、２０ｂに対して搬送方向にスライド移動可能に取り付けられる。
【００３３】
プレート３１には、搬送プーリ３２をプレート３１の外側（表面側）から搬送ベルト１３ａの存する側である内側（裏面側）へ突出させるための穴部３４が開設されている（図５または図１０参照）。搬送プーリ３２は、図５に示すように、穴部３４を臨むようにしてプレート３１の表面側に取り付けられた断面コの字状のブラケット３３の内側に回転軸３５を上下方向にして回転自在に取り付けられている。搬送プーリ３２は搬送ベルト１３ａに直接は接触しないが極めて近い位置まで穴部３４を通じてプレート３１の内側へ突出するようにされてブラケット３３に保持されている。
【００３４】
搬送プーリ３２はその外周を一周する溝３８を備えている。この溝３８の断面形状は、図７に示すような台形に形成される。
【００３５】
プレート３１の内側面（裏面）と第２フレーム２２（特に仕切板２４）との間の空間、および搬送ベルト１３ａと搬送プーリ３２との隙間は、紙幣の搬送路を形成している。図１１に示すように、紙幣Ｋは上下の中心付近が搬送ベルト１３ａと搬送プーリ３２との間に圧接されつつ搬送される。
【００３６】
図１２は、搬送ユニット３０の突出部４１をその外側面から見た斜視図である。なお、図１２においては、搬送ユニット３０から受入部４２側を外して省略している。図１２および図６、図７に示すように、突出部４１は、プレート３１の搬送方向Ｍ側の端部から搬送先に向けて突出すると共に、搬送方向Ｍに沿った複数本のスリット４１ａが形成されて、断面矩形の細長い複数本の突出片４１ｂに分かれている。各突出片４１ｂの先端は、外側面が内側面に向けて傾斜して厚み方向に先細りになっている。突出部４１は、黒や赤などの色に着色されている。
【００３７】
図８、図９、図１０に示すように、受入部４２はプレート３１の内側面に形成された陥没部４２ａであって、搬送ユニット３０同士を連結する際に隣りの搬送ユニット３０の突出部４１を受け入れて係合する形状にされている。陥没部４２ａには、陥没部４２ａに係合された突出部４１のスリット４１ａに入るように、搬送方向Ｍに沿って複数本のリブ４２ｂが形成されている。図１０に示すように、陥没部４２ａの搬送方向Ｍの終端部は、陥没の深さが次第に浅くなるように傾斜している。すなわち、図１２に示す突出片４１ｂの厚み方向に先細りした先端の形状に対応させた形になっている。受入部４２は無色透明である。
【００３８】
図１０に示すようにプレート３１の内側面にも背の低いリブ３１ｂが搬送方向Ｍに沿って複数本設けてある。これらのリブ３１ｂの上端と陥没部４２ａに設けられたリブ４２ｂの上端とは同じ高さにされており、一部のリブ３１ｂはリブ４２ｂと繋がって形成されている。
【００３９】
なお、図１２に示すように、突出部４１の突出片４１ｂの内側面にも搬送方向に沿って背の低いリブ４１ｃが設けてある。このリブ４１ｃもプレート３１のリブ３１ｂと同じ高さにされている。
【００４０】
図１３は、搬送ユニット３０を連結した状態の内側面を示している。連結時は、突出部４１がその隣の搬送ユニット３０の受入部４２の内側となり、該受入部４２が突出部４１を外側から覆うようにして、突出部４１と受入部４２とが係合される。詳細には、連結時に突出部４１が搬送路の内側に露出し、かつ突出部４１の外側に隣の搬送ユニット３０の受入部４２が重なるようにされている。また、係合された突出部４１と受入部４２のうち搬送路の内側になっている方（この例では突出部４１）が各搬送ユニット３０の搬送方向Ｍ側の端部となるようにされる。
【００４１】
これにより、連結部において受入部４２と突出部４１とのプレート３１面に水平方向（搬送路の幅方向で図５のＸ方向））の位置ズレを抑制することができる。また、内側にある突出部４１はその先端が搬送方向Ｍを向いているので、突出部４１は紙幣の搬送方向Ｍに対して順方向となり、紙幣が突出部４１に引っかかり難く、紙幣詰まりが防止され、連結部での円滑な紙幣の搬送が確保される。また、突出部４１の外側に隣の搬送ユニット３０の受入部４２を重ねるようにして搬送ユニット３０同士を連結するので、搬送ユニット３０の取り付けが容易になる。
【００４２】
搬送ユニット３０は、前述したように、上側フレーム２０ａおよび下側フレーム２０ｂに対して搬送方向Ｍにスライド移動可能に取り付けられており、連結時に隣接する搬送ユニット３０同士の間隔を調整できるようになっている。間隔を広げて連結した場合には突出部４１と受入部４２とのオーバーラップ量が減るため、突出部４１（突出片４１ｂ）の先端より先に陥没部４２ａが現れる。しかし、陥没部４２ａにはリブ４２ｂが形成されているので、紙幣はリブ４２ｂ上を搬送され、紙幣が陥没部４２ａに嵌ったり、引っ掛かったりして詰まることが防止される。オーバーラップ量が減った場合の突出部４１についても、隙間はスリット４１ａだけなので、紙幣が嵌ったり、引っ掛かったりして詰まることはない。
【００４３】
また、リブ４２ｂを複数本にしてリブ４２ｂとリブ４２ｂとの間隔が広くなり過ぎないようにしたので、全体として突出部４１および受入部４２の幅（搬送路の高さ方向（図５のＹ方向））を広くして係合度合いを強めつつ、露出した陥没部４２ａでは紙幣を複数本のリブ４２ｂで支えて適切に搬送することができる。
【００４４】
特に、搬送路の内側では、プレート３１のリブ３１ｂと突出部４１のリブ４１ｃと陥没部４２ａに形成されたリブ４２ｂとが同じ高さで搬送方向Ｍに継続するので、これらのリブ３１ｂ、４１ｃ、４２ｂ上に沿って紙幣が円滑に搬送される。
【００４５】
また、受入部４２は、櫛歯と異なり、底部を有する陥没部４２ａなので、仮に折れ曲がったり切れ目がある紙幣の角がリブ４２ｂを避けて陥没部４２ａに進入してきたとしても、紙幣の角は陥没部４２ａの底部に突き当たり、該底部に沿って進むうちに受入部４２の終端部に到達し、該終端部の斜面に沿ってプレート３１の内壁面上へ押し戻されて、紙幣の引っ掛かりが防止される。
【００４６】
すなわち、従来のように単に櫛歯と櫛歯を係合させて連結させる構成の場合には、連結時の間隔を広げてオーバーラップ量が減ると、上下に並ぶ櫛歯と櫛歯の間に空隙ができて、その空隙に紙幣が突き刺さるように引っ掛かる場合がある。これに対し、受入部４２の陥没部４２ａは突出部４１を外側から覆う底部を有しているので、紙幣は底部に当接する以上に深く嵌まることはなく、前述したように陥没部４２ａに引っ掛からずに搬送される。
【００４７】
さらに、連結時に外側になる受入部４２は無色透明であり、内側になる突出部４１は色を有しているので、突出部４１がどの程度の長さで受入部４２に係合されているか（オーバーラップ量）を視認し易く、連結間隔の調整作業が容易になる。
【００４８】
次に、第２の実施の形態を説明する。
【００４９】
第１の実施の形態との相違は受入部７０の形状である。その他の部分については第１の実施の形態と略同一なので、それらの説明は省略する。図１４は、第２の実施の形態に係る搬送ユニット３０Ｂの受入部７０を示す斜視図である。受入部７０は、突出部４１の長さに相当する奥行きを備えた筒状を成している。詳細には、受入部７０は、突出部４１のスリット４１ａに対応する位置に設けられた仕切り壁で区切られた複数の筒状部になっており、各突出片４１ｂに対応した突出部挿入口７１を備えている。
【００５０】
搬送ユニット３０Ｂ同士の連結は、一方の搬送ユニット３０Ｂの突出部４１を他方の搬送ユニット３０Ｂの受入部７０に差し込むようにして行われる。
【００５１】
第２の実施の形態の搬送ユニット３０Ｂにおいても、連結時に筒状の受入部７０は突出部４１を外側から覆っている。また、受入部７０と突出部４１のうち連結時に搬送路の内側になるのも受入部７０であり、受入部７０は搬送ユニット３０Ｂの搬送方向Ｍ側の端部に形成される。
【００５２】
第２の実施の形態では、連結時に筒状の受入部７０の中に突出部４１が差し込まれるので、受入部７０と突出部４１とのプレート３１面に水平方向（搬送路の幅方向）における位置ズレを強固に防止することができる。また、内側にある受入部７０が搬送ユニット３０Ｂの搬送方向Ｍ側の端部に形成されているので、受入部７０は紙幣の搬送方向Ｍに対して順方向となり、紙幣が受入部７０に引っかかり難くなって、紙幣詰まりが防止され、連結部での円滑な紙幣の搬送が確保される。
【００５３】
以上、本発明の各種実施の形態を図面によって説明してきたが、具体的な構成は実施の形態に示したものに限られるものではなく、本発明の要旨を逸脱しない範囲における変更や追加があっても本発明に含まれる。
【００５４】
また、実施の形態では、第１係合部を突出部とし、第２係合部を受入部として構成したが、連結時に第２係合部が隣の搬送ユニットの第１係合部を外側から覆い、かつ、第１係合部と第２係合部のうち連結時に搬送路の内側にある方がその搬送ユニットの搬送方向側の端部に設けられるように構成されれば、第１係合部と第２係合部は突出部と受入部の関係に無くてもよく、任意の形状にされてもよい。
【００５５】
またスリット４１ａやリブ４２ｂの間隔は適宜に変更可能である。スリット４１ａやリブ４２ｂを設けない構成にされてもよい。たとえば、図１２などに示した突出片４１ｂの１本に相当する幅の突出部をプレート３１の高さ方向の上下に比較的大きく離して一端部に設け、他端部にこの２本の突出部に対応する２つの受入部を設けるようにしてもよい。この構成ではオーバーラップ量が少なくされても、連結部において紙幣をリブ無しで適切に支持して搬送することができる。
【００５６】
実施の形態では、第２係合部である受入部４２を無色透明、第１係合部である突出部４１を有色としたが、受入部４２が光を透過し、突出部４１が連結時に係合される受入部４２と異なる色にされていればよい。すなわち、受入部４２が有色透明の場合、突出部４１はこの色と異なる色であればよく、突出部４１は透明でも不透明でもよい。
【００５７】
また、表裏面に遊技媒体貸機４を有する遊技機島２を例示したが、一方の面のみに遊技媒体貸機４や遊技機３が配設される遊技機島に対しても本発明の紙幣搬送装置１０は適用可能である。
【００５８】
このほか実施の形態では、パチンコ機の設置された遊技機島２を例示したが、遊技機の種類はこれに限定されず、スロットマシーンなどでもかまわない。
【図面の簡単な説明】
【００５９】
【図１】本発明の実施の形態に係る紙幣搬送装置の設置された遊技機島の内部構造を示す正面図である。
【図２】本発明の実施の形態に係る紙幣搬送装置とその関連機器の遊技機島内での配置状態を示す上面図である。
【図３】本発明の実施の形態に係る紙幣搬送装置の設置された遊技機島の内部構造を図１のＡ−Ａ´断面にて示す断面図である。
【図４】本発明の実施の形態に係る紙幣搬送装置の搬送ベルトの架設状態を示す説明図である。
【図５】通路部ユニットの内部構造を図４のＢ−Ｂ´断面にて示す断面図である。
【図６】搬送ユニットを示す正面図である。
【図７】搬送ユニットの突出部側を示す側面図である。
【図８】搬送ユニットの受入部側を示す側面図である。
【図９】搬送ユニットの受入部表面側を示す斜視図である。
【図１０】搬送ユニットの受入部裏面側を示す斜視図である。
【図１１】搬送プーリと搬送ベルトとの間に圧接されて紙幣が搬送される状態の一例を示す説明図である。
【図１２】突出部を示す斜視図である。
【図１３】搬送ユニットを連結した状態を示す正面図である。
【図１４】第２の実施の形態の搬送ユニットの受入部表面側を示す斜視図である。
【符号の説明】
【００６０】
２…遊技機島
３…遊技機
４…遊技媒体貸機
４ａ…紙幣投入口
４ｂ…硬貨投入口
５…紙幣収納装置
６…硬貨収納装置
７…硬貨搬送装置
１０…紙幣搬送装置
１１…駆動プーリ
１２…従動プーリ
１３…搬送ベルト
１３ａ…搬送方向に移動する搬送ベルト
１４…駆動部
２０ａ…上側フレーム
２０ｂ…下側フレーム
２１…第１フレーム
２２…第２フレーム
２４…仕切板
３０、３０Ｂ…搬送ユニット
３１…プレート
３１ｂ…リブ
３２…搬送プーリ
３３…ブラケット
３４…穴部
３５…回転軸
３８…溝
４１…突出部（第１係合部）
４１ａ…スリット
４１ｂ…突出片
４１ｃ…リブ
４２…受入部（第２係合部）
４２ａ…陥没部
４２ｂ…リブ
５１…クリップ
５２…フック
６０…送出ユニット
７０…受入部
７１…突出部挿入口
Ｇ…通路部ユニット
Ｋ…紙幣
Ｍ…搬送方向
【図１】
0004906105.tif 000002
【図２】
0004906105.tif 000003
【図３】
0004906105.tif 000004
【図４】
0004906105.tif 000005
【図５】
0004906105.tif 000006
【図６】
0004906105.tif 000007
【図７】
0004906105.tif 000008
【図８】
0004906105.tif 000009
【図９】
0004906105.tif 000010
【図１０】
0004906105.tif 000011
【図１１】
0004906105.tif 000012
【図１２】
0004906105.tif 000013
【図１３】
0004906105.tif 000014
【図１４】
0004906105.tif 000015